(57)【要約】【課題】光ディスク装置において、不正コピーを防止するとともに、合法な範囲の私的なコピーを可能にする。【解決手段】光ディスクプレーヤは、光ディスクから読み出されたデジタル信号を、暗号化して出力する。光ディスクレコーダは、入力されたデジタル信号が暗号化されている場合は、復号化し、ＣＤＳ−２００などのデジタル読み出し制限をおこない、さらにＩＤデバイスからユーザを特定する固有ＩＤを取得し、許可ＩＤとしてコンテンツとともに光ディスクに書き込む。光ディスクプレーヤは、複製した光ディスクからの再生は、光ディスクに記録された許可ＩＤと固有ＩＤにより認証を行う。これにより、光ディスクからの不正コピーを防止することが出来るとともに、合法な範囲の私的なコピーが可能になるといった効果が得られる。【選択図】  図５
2004241029.tif 000002
【特許請求の範囲】
【請求項１】
光ディスクからデジタル記録されたコンテンツを読み出す光ディスク読み出し装置であって、
デジタル読み出し制限された光ディスクの読み出しにおいては、コンテンツを暗号化して出力する暗号化手段を備えたことを特徴とする光ディスク読み出し装置。
【請求項２】
ユーザを特定するための固有ＩＤを取得する固有ＩＤ取得手段と、
デジタル読み出し制限された光ディスクの読み出しにおいては、光ディスクから許可ＩＤを読み出し、前記取得した固有ＩＤとの認証を行って読み出しの可否を判定する許可ＩＤ認証手段と、
を備えたことを特徴とする、請求項１記載の光ディスク読み出し装置。
【請求項３】
ユーザを特定するための固有ＩＤを取得する固有ＩＤ取得手段と、
暗号化されて記録されたコンテンツにおいては、前記取得した固有ＩＤから暗号鍵を生成して光ディスクから読み出したコンテンツを復号化する復号化手段と、
を備えたことを特徴とする、請求項１記載の光ディスク読み出し装置。
【請求項４】
入力されたコンテンツを光ディスクにデジタル記録する光ディスク記録装置であって、
入力されたコンテンツが暗号化されている場合は、光ディスクへの記録に先だって、入力されたコンテンツを復号する復号化手段を備えたことを特徴とする光ディスク記録装置。
【請求項５】
入力されたコンテンツが暗号化されている場合は、コンテンツを記録した光ディスクからのデジタル読み出しに対する制限を行うデジタル読み出し制限手段を備えたことを特徴とする、請求項４記載の光ディスク記録装置。
【請求項６】
ユーザを特定するための固有ＩＤを取得する固有ＩＤ取得手段と、
前記固有ＩＤから許可ＩＤを生成し、許可ＩＤをコンテンツとともに光ディスクに記録する許可ＩＤ記録手段と、
を備えたことを特徴とする、請求項４記載または請求項５記載の光ディスク記録装置。
【請求項７】
ユーザを特定するための固有ＩＤを取得する固有ＩＤ取得手段と、
前記取得した固有ＩＤから暗号鍵を生成して入力されたコンテンツを暗号化する暗号化手段と、
を備えたことを特徴とする、請求項４記載または請求項５記載の光ディスク記録装置。
【請求項８】
光ディスクからデジタル記録されたコンテンツを読み出すために、コンピュータを、
デジタル読み出し制限された光ディスクの読み出しにおいては、コンテンツを暗号化して出力する暗号化手段として機能させるためのプログラム。
【請求項９】
入力されたコンテンツを光ディスクにデジタル記録するために、コンピュータを、
入力されたコンテンツが暗号化されている場合は、光ディスクへの記録に先だって、入力されたコンテンツを復号する暗号化手段として機能させるためのプログラム。
【請求項１０】
光ディスクからデジタル記録されたコンテンツを読み出す方法に係わるプログラムを記録したコンピュータ読み取り可能な記録媒体であって、
デジタル読み出し制限された光ディスクの読み出しにおいては、コンテンツを暗号化して出力する暗号化ステップをコンピュータに実行させるプログラムを記録していることを特徴とする記録媒体。
【請求項１１】
入力されたコンテンツを光ディスクにデジタル記録する方法に係わるプログラムを記録したコンピュータ読み取り可能な記録媒体であって、
入力されたコンテンツが暗号化されている場合は、光ディスクへの記録に先だって、入力されたコンテンツを復号する復号化ステップをコンピュータに実行させるプログラムを記録していることを特徴とする記録媒体。
【発明の詳細な説明】
【０００１】
【発明の属する技術分野】
本発明は光ディスクなどを媒体として、音楽コンテンツ、映像コンテンツなどの著作物の一般への配布、販売、レンタルを行う際の複製管理（不正コピー防止）を可能とする装置に関する。
【０００２】
【従来の技術】
近年、ＣＤなどの記録媒体にデジタル記録されたコンテンツは、ＣＤ−ＲＯＭドライブを用いてデジタル読み出ししＣＤ−Ｒドライブなどを用いて複製を制作し、他人に譲渡・販売する不正コピーの横行が社会問題となっている。ＣＤなどデジタル記録する媒体では、複製しても品質の劣化が起きない上、パソコンやＣＤ−Ｒの普及によって特別な設備や知識がなくとも安価に不正コピーが行えるため、特に問題視されている。
これに対し、従来、光ディスクなどの記録媒体にデジタル記録されたコンテンツの不正コピー防止は、光ディスク上のコンテンツ記録領域に意図的にエラーを書き込む方法で行い、合法な複製の作成についてはインターネットを介して課金・認証を行った上で複製を許可する、レーベルゲートＣＤと呼ばれる方法が知られている。（例えば非特許文献１参照）
【０００３】
【非特許文献１】
“ソニーミュージックグループが‘レーベルゲートＣＤ’を発売”、平成１４年１１月２０日、［平成１４年１２月１０日検索］、インターネット＜ＵＲＬ＝ｈｔｔｐ：／／ｗｗｗ．ｓｍｅ．ｃｏ．ｊｐ／ｐｒｅｓｓｒｅｌｅａｓｅ／２００２１１２０＿１．ｈｔｍｌ＞
【０００４】
図１１は従来の技術の光ディスクの構造を示しており、光ディスク１１０１は、第１コンテンツ記録領域１１０２、第２コンテンツ記録領域１１０３で構成されている。光ディスク１１０１は、ＣＤ、ＤＶＤに代表される光ディスクである。
第１コンテンツ記録領域１１０２は、ＣＤＳ−２００などに代表されるデジタル読み出しに対する制限を行って、著作権者から配布されたコンテンツを書き込んだ記録領域である。
ＣＤＳ−２００は、コピーコントロールＣＤで使われている、ＣＤ−ＲＯＭドライブによるデジタル読み出しに対する制限技術である。一般に、デジタル読み出し機能を持つＣＤ−ＲＯＭドライブに対して、音声出力機能のみのＣＤプレーヤの方がエラーに対して寛容であることを利用し、コンテンツ中に意図的にエラーを書き込むことにより、ＣＤプレーヤでは再生が行えるものの、ＣＤ−ＲＯＭドライブでは読み出し出来ないようにする技術である。これにより、ＣＤ−ＲＯＭドライブでのデジタル複製を防止することが出来る。
第２コンテンツ記録領域１１０３は、ＡＴＲＡＣ３などの音声圧縮技術を用いて、著作権者から配布されたコンテンツを圧縮して書き込んだ記録領域である。コンテンツの内容としては、第１コンテンツ記録領域の内容と同じである。
【０００５】
図１２は従来の技術によるコンテンツの合法的な複製の手順を示したものである。
１２０１は音楽コンテンツなどを記録した光ディスクを生産・販売するレコード販売会社、１２０２はレコード販売会社１２０１によって販売された記録済み光ディスク、１２０３は記録済み光ディスク１２０２に記録されたコンテンツを再生するためのプレーヤ、１２０４は記録可能光ディスク１２０５にコンテンツを記録するレコーダ、１２０５は複製されたコンテンツを記録する記録可能光ディスクである。記録済み光ディスク１２０２を複製するために、プレーヤ１２０３とレコーダ１２０４は接続されている。プレーヤ１２０３とレコーダ１２０４はどちらも光ディスクドライブであるが、再生、記録といった光ディスクを複製する上での役割の違いから、「プレーヤ」、「レコーダ」と区別して説明している。
【０００６】
この従来の技術によるＣＤなどの著作権によって保護されたコンテンツの複製は次のようにして行われる。
まずレコード販売会社１２０１は、第１コンテンツ記録領域１１０２にデジタル読み出し制限したコンテンツを記録し、第２コンテンツ記録領域１１０３に圧縮コンテンツを記録した記録済み光ディスク１２０２を作成・販売する。
ユーザは購入・レンタルなどの方法で記録済み光ディスク１２０２を入手し、プレーヤ１２０３に挿入する。またプレーヤ１２０３に接続したレコーダ１２０４に記録可能光ディスク１２０５を挿入し、プレーヤ１２０３とレコーダ１２０４に複製開始を指示する。
【０００７】
プレーヤ１２０３は複製開始を指示されると、第２コンテンツ記録領域から圧縮コンテンツを読み出し、レコーダ１２０４に出力する（１２１１）。またコンテンツの識別情報であるコンテンツＩＤを読み出し、レコーダ１２０４に出力する（１２１２）。
【０００８】
レコーダ１２０４は、インターネットを介してレコード販売会社１２０１との間でデジタル複製に対する課金・認証の手続きをおこなう（１２１３，１２１４）。
まずレコーダ１２０４は、コンテンツＩＤをレコード販売会社１２０１に通知し（１２１５）、レコード販売会社はコンテンツＩＤに対応する課金情報をレコーダ１２０４に送信してユーザの購入確認を求める（１２１６）。ユーザから図示しないレコーダ１２０４のユーザＩ／Ｆによって購入確認を得ると、その旨をレコーダ１２０４はレコード販売会社１２０１に通知する（１２１７）。レコード販売会社１２０１はレコーダ１２０４から購入確認を受信すると、決済処理を行って課金確認をレコーダ１２０４に送信する（１２１８）。
レコーダ１２０４は、レコード販売会社１２０１から課金確認１２１８を受信するとそれを書き込み許可と解釈し、プレーヤ１２０３から入力された圧縮コンテンツを記録可能光ディスク１２０５に書き込む（１２１９）。
このように、従来の技術ではＣＤＳ−２００などの既存の技術で不正コピーを防止するとともに、圧縮コンテンツの複製行為に対して課金することで、合法な複製の作成を可能にしている。
【０００９】
【発明が解決しようとする課題】
このような従来の複製管理方法では、第１コンテンツ記録領域１１０２と第２コンテンツ記録領域１１０３の２つの記録領域を必要とするため、記録時間が短くなるという欠点がある。また第２コンテンツ記録領域１１０３に記録された複製可能なコンテンツは圧縮されているため、音質が悪い、つまり品質においてオリジナルのコンテンツに劣るという欠点もある。
また、バックアップの作成や、ＣＤからＳＤメモリカードへの複製のように異なるメディアへの複製など私的な使用に限った複製は合法な行為であるが、このような合法な複製の作成も課金対象となるため、ユーザにとって利便性が悪いという欠点がある。
【００１０】
さらに、記録済み光ディスク１２０２を制作するレコード販売会社１２０１にとっては、通常のコンテンツをＣＤＳ−２００などを用いて光ディスクに書き込む行程の他に、デジタル複製を可能とするために、コンテンツを圧縮する行程と、圧縮したコンテンツを第２コンテンツ記録領域１１０３に書き込む行程を必要とするので、記録済み光ディスク１２０２の制作に時間・コストがかかるという欠点がある。
【００１１】
【課題を解決するための手段】
この課題を解決するために、第１の発明は、光ディスクからデジタル記録されたコンテンツを読み出す光ディスク読み出し装置であって、デジタル読み出し制限された光ディスクの読み出しにおいては、コンテンツを暗号化して出力する暗号化手段を備えたことを特徴とする。
【００１２】
第２の発明は、第１の発明において、ユーザを特定するための固有ＩＤを取得する固有ＩＤ取得手段と、デジタル読み出し制限された光ディスクの読み出しにおいては、光ディスクから許可ＩＤを読み出し、固有ＩＤとの認証を行って読み出しの可否を判定する許可ＩＤ認証手段とを備えたことを特徴とする。
【００１３】
第３の発明は、第１の発明において、ユーザを特定するための固有ＩＤを取得する固有ＩＤ取得手段と、暗号化されて記録されたコンテンツにおいては、固有ＩＤから暗号鍵を生成して光ディスクから読み出したコンテンツを復号化する復号化手段を備えたことを特徴とする。
【００１４】
第４の発明は、入力されたコンテンツを光ディスクにデジタル記録する光ディスク記録装置であって、入力されたコンテンツが暗号化されている場合は、光ディスクへの記録に先だって、入力されたコンテンツを復号する復号化手段を備えたことを特徴とする。
【００１５】
第５の発明は、第４の発明において、入力されたコンテンツが暗号化されている場合は、コンテンツを記録した光ディスクからのデジタル読み出しに対する制限を行うデジタル読み出し制限手段を備えたことを特徴とする。
【００１６】
第６の発明は、第４の発明または第５の発明において、ユーザを特定するための固有ＩＤを取得する固有ＩＤ取得手段と、固有ＩＤから許可ＩＤを生成し、許可ＩＤをコンテンツとともに光ディスクに記録する許可ＩＤ記録手段とを備えたことを特徴とする。
【００１７】
第７の発明は、第４の発明または第５の発明において、ユーザを特定するための固有ＩＤを取得する固有ＩＤ取得手段と、固有ＩＤから暗号鍵を生成して入力されたコンテンツを暗号化する暗号化手段とを備えたことを特徴とする。
【００１８】
【発明の実施の形態】
以下、本発明の実施の形態について、図１から図１０を用いて説明する。
（実施の形態１）
図１は本実施の形態で用いる光ディスクドライブの構成を示した図である。光ディスクドライブ１０１は、従来のＣＤ−ＲドライブやＣＤ−ＲＷドライブと同じ構成である既存ＣＤ−ＲＷ構成部１０２に、複製制御部１０３を追加した構成である。
既存ＣＤ−ＲＷ構成部１０２は、全体の動作を制御するコントローラ１０４、光ディスクを所定の回転数で回転させるスピンドルモータや、光ディスクに対してレーザーを用いてコンテンツを読み書きするレーザーピックアップ等から構成されるコンテンツアクセス部１０５、光ディスクにデジタル記録されたコンテンツをアナログ信号に変換して出力するアナログＩ／Ｆ１０６、光ディスクドライブ１０１につながれた外部の機器からコマンドを受け取ったりデジタルデータを入出力するためのデジタルＩ／Ｆ１０７で構成される。
複製制御部１０３は、コンテンツの暗号化を行う暗号部１０８、暗号化されたコンテンツを復号化する復号部１０９、光ディスクへの書き込み時にデジタル読み出しに対する制限を行うためのデジタル読み出し制限部１１０で構成される。
【００１９】
次に、ユーザが記録済みの光ディスクを複製する手順について説明する。
図２は本実施の形態の記録済みの光ディスクを複製する手順を示した図である。図１２と同じ構成要素については説明を省略し、図１２と同じ番号を付してある。
２０１はレコード販売会社１２０１によって販売された記録済み光ディスク、２０２は記録済み光ディスク２０１に記録されたコンテンツを再生するためのプレーヤ、２０３は記録可能光ディスク２０４にコンテンツを記録するレコーダ、２０４は複製されたコンテンツを記録する記録可能光ディスクである。記録済み光ディスク２０１を複製するために、プレーヤ２０２のデジタルＩ／Ｆ１０７とレコーダ２０３のデジタルＩ／Ｆ１０７は接続されている。プレーヤ２０２とレコーダ２０３はどちらも図１に示した光ディスクドライブであるが、再生、記録といった光ディスクを複製する上での役割の違いから、「プレーヤ」、「レコーダ」と区別して説明している。
最初に、レコード販売会社１２０１は、デジタル読み出し制限してコンテンツを記録した記録済み光ディスク２０１を作成・販売する。つまり、記録済み光ディスク２０１は、基本的に従来のコピーコントロールＣＤである。
【００２０】
ユーザは購入・レンタルなどの方法で記録済み光ディスク２０１を入手し、プレーヤ２０２に挿入する。またプレーヤ２０２に接続したレコーダ２０３に記録可能光ディスク２０４を挿入し、プレーヤ２０２とレコーダ２０３に複製開始を指示する。
【００２１】
プレーヤ２０２は複製開始を指示されると、コントローラ１０４がコンテンツアクセス部１０５を制御して、記録済み光ディスク２０１からコンテンツを読み出す（１２１１）。読み出したコンテンツがデジタル読み出し制限されているとコントローラ１０４が判断した場合は、暗号部１０８によって暗号化を行い（２１１）、デジタルＩ／Ｆ１０７からレコーダ２０３に出力する。またコンテンツの識別情報であるコンテンツＩＤを読み出し、デジタルＩ／Ｆ１０７からレコーダ２０３に出力する（１２１２）。
【００２２】
レコーダ２０３は、デジタルＩ／Ｆ１０７から入力されたコンテンツが暗号化されている場合、インターネットを介してレコード販売会社１２０１との間でデジタル複製に対する課金・認証の手続きをおこなう（１２１３，１２１４）。
まずレコーダ２０３は、コンテンツＩＤをレコード販売会社１２０１に通知し（１２１５）、レコード販売会社１２０１はコンテンツＩＤに対応する課金情報をレコーダ２０３に送信してユーザの購入確認を求める（１２１６）。ユーザから図示しないレコーダ２０３のユーザＩ／Ｆによって購入確認を得ると、その旨をレコーダ２０３はレコード販売会社１２０１に通知する（１２１７）。レコード販売会社１２０１はレコーダ２０３から購入確認を受信すると、決済処理を行って課金確認（１２１８）をレコーダ２０３に送信する。
レコーダ２０３は、レコード販売会社１２０１から課金確認１２１８を受信すると、デジタルＩ／Ｆ１０７を介してプレーヤ２０２から入力した暗号化コンテンツを復号部１０９が復号化し（２１２）、デジタル読み出し制限部１１０がデジタル読み出し制限を施し（２１３）、コントローラ１０４がコンテンツアクセス部１０５を制御して、コンテンツＩＤとともに記録可能光ディスク２０４に書き込む（１２１９）。
【００２３】
以上の手順によって、プレーヤ２０２から出力されるコンテンツを暗号化することで、不正コピーを防ぐことが出来る。またコンテンツの複製行為に対して課金・認証した後、合法な複製の作成を可能にする。合法に複製された記録可能光ディスク２０４からの複製の作成についても、記録可能光ディスク２０４への記録時にデジタル読み出し制限を行っているので、新たな不正コピーを防ぐことが出来る。
また、複製された記録可能光ディスク２０４は、コピーコントロールＣＤ相当のものであるので、通常のＣＤプレーヤで再生できる。
また、非特許文献１に示した従来の技術のように、光ディスクに複製用のコンテンツを別に記録しないので、光ディスクの記録時間が短くなるという欠点がない。複製用のコンテンツは圧縮されていないので、音質が悪いという欠点もない。
【００２４】
なお、本実施の形態では複製のためにプレーヤとレコーダの２台の光ディスクドライブを使用した例を示したが、１台の光ディスクドライブとパソコンを使用し、光ディスクドライブで読み出したコンテンツを一旦パソコンのハードディスクなどに保存した後、ハードディスクから光ディスクドライブに挿入された記録可能光ディスクに記録してもよい。この場合でも、光ディスクドライブからパソコンに出力されるコンテンツは暗号化されているため、そのままでは再生することが出来ず不正コピーを防止できる。
なお、記録済み光ディスク２０１がコピーコントロールＣＤのようなデジタル読み出し制限されていない普通のＣＤである場合、この光ディスクはデジタル複製に対する制限がないものと判断できるので、プレーヤ２０２は暗号部１０８による暗号化（２１１）を行わず、デジタルＩ／Ｆ１０７を介して記録済み光ディスク２０１から読み出したコンテンツをそのままレコーダ２０３に出力する。レコーダ２０３は、プレーヤ２０２から入力されたコンテンツが暗号化されていない場合、購入・認証（１２１３）、復号部１０９による復号化（２１２）、デジタル読み出し制限部１１０によるデジタル読み出し制限（２１３）を行わず、プレーヤ２０２から入力されたコンテンツをそのまま記録可能光ディスク２０４に記録する。これは通常のＣＤ−ＲＷドライブによる複製の手順と同じであり、複製された記録可能光ディスク２０４は、記録済み光ディスク２０１と同じく、再デジタル複製の可能な光ディスクとなる。
【００２５】
なお、記録可能光ディスク２０４は、既存のＣＤやＤＶＤと同様に、ＣＤ−ＲやＤＶＤ−Ｒなどのように書き込みのできるもの、ＣＤ−ＲＷやＤＶＤ−ＲＡＭのように自由に消去・書き込みができるものなどを含む。また、記録済み光ディスク２０１は、生産時に音楽タイトルや映画タイトルなどのコンテンツをプレスで記録したリードオンリーなものだけでなく、ＣＤ−ＲやＣＤ−ＲＷのように読み書き可能なものでもよい。
なお、暗号部１０８、復号部１０９で用いる暗号化技術については、ＡＥＳ（Ａｄｖａｎｃｅｄ  Ｅｎｃｒｙｐｔｉｏｎ  Ｓｔａｎｄａｒｄ）など既存の暗号化技術を用いてもよい。好ましくは、デジタル読み出し制限された光ディスクのデジタル読み出しにおいては、常に暗号化するべきである。これにより、プレーヤ２０２から出力されるコンテンツは、デジタル読み出し制限された光ディスクの場合は復号化しない限り再生不可能になるので、不正コピーを防止することが出来る。
なお、デジタル読み出し制限部１１０で用いるデジタル読み出し制限についても、既に説明したＣＤＳ−２００など既存の技術を用いてもよい。好ましくは、記録済み光ディスク２０１はデジタル読み出し制限をともなって記録されている可能性があるので、プレーヤ２０２によるコンテンツ読み出し（１２１１）手順は、デジタル読み出し制限に対するエラー訂正などの手順を含むべきである。これにより、通常ＣＤ−ＲＯＭドライブなどでデジタル読み出しできないように記録された光ディスクにおいても、デジタル読み出しが可能となる。
【００２６】
（実施の形態２）
以下、本発明の別の実施の形態について、図３から図７を用いて説明する。
図３は本実施の形態で用いるＩＤデバイスの構成を示した図である。ＩＤデバイスとは、ユーザ認証を行うための固有ＩＤを記録した機器である。このＩＤデバイス３０１は、後述するレコーダまたはプレーヤと通信するための通信部３０２、各ＩＤデバイスに固有のＩＤを記録した固有ＩＤ記録部３０３から構成される。
【００２７】
図４は本実施の形態で用いる光ディスクドライブの構成を示した図である。図１と同じ構成要素については説明を省略し、図１と同じ番号を付してある。図４に示す光ディスクドライブ４０１は、私的複製認証部４０２を含んで構成される。
私的複製認証部４０２は、ＩＤデバイス３０１から固有ＩＤを取得する固有ＩＤ取得部４０３、許可ＩＤを光ディスクに記録するよう制御する許可ＩＤ記録部４０４、光ディスクから許可ＩＤを読み出し認証を行う許可ＩＤ認証部４０５で構成される。
【００２８】
次に、ユーザが記録済みの光ディスクを複製する手順について説明する。
図５は本実施の形態の記録済みの光ディスクを複製する手順を示した図である。図１２、図１または図２と同じ構成要素については説明を省略し、同じ番号を付してある。
５０１は記録可能光ディスク５０２にコンテンツを記録するレコーダ、５０２は複製されたコンテンツを記録する記録可能光ディスク、５０３は図３に示した固有ＩＤを記録したＩＤデバイスである。プレーヤ２０２のデジタルＩ／Ｆ１０７とレコーダ５０１のデジタルＩ／Ｆ１０７は接続されている。プレーヤ２０２とレコーダ５０１はどちらも図４に示した光ディスクドライブであるが、再生、記録といった光ディスクを複製する上での役割の違いから、「プレーヤ」、「レコーダ」と区別して説明している。
最初に、レコード販売会社１２０１は、デジタル読み出し制限してコンテンツを記録した記録済み光ディスク２０１を作成・販売する。つまり、記録済み光ディスク２０１は、基本的に従来のコピーコントロールＣＤである。
【００２９】
ユーザは購入・レンタルなどの方法で記録済み光ディスク２０１を入手し、プレーヤ２０２に挿入する。またプレーヤ２０２に接続したレコーダ５０１に記録可能光ディスク５０２を挿入し、プレーヤ２０２とレコーダ５０１に複製開始を指示する。
【００３０】
プレーヤ２０２は複製開始を指示されると、コントローラ１０４がコンテンツアクセス部１０５を制御して、記録済み光ディスク２０１からコンテンツを読み出す（１２１１）。読み出したコンテンツがデジタル読み出し制限されているとコントローラ１０４が判断した場合は、暗号部１０８によって暗号化を行い（２１１）、デジタルＩ／Ｆ１０７からレコーダ５０１に出力する。またコンテンツの識別情報であるコンテンツＩＤを読み出し、デジタルＩ／Ｆ１０７からレコーダ５０１に出力する（１２１２）。
【００３１】
レコーダ５０１は、デジタルＩ／Ｆ１０７から入力されたコンテンツが暗号化されている場合、インターネットを介してレコード販売会社１２０１との間でデジタル複製に対する課金・認証の手続きをおこなう（１２１３，１２１４）。
まずレコーダ５０１は、コンテンツＩＤをレコード販売会社１２０１に通知し（１２１５）、レコード販売会社はコンテンツＩＤに対応する課金情報をレコーダ５０１に送信してユーザの購入確認を求める（１２１６）。ユーザから図示しないレコーダ５０１のユーザＩ／Ｆによって購入確認を得ると、その旨をレコーダ５０１はレコード販売会社１２０１に通知する（１２１７）。レコード販売会社１２０１はレコーダ５０１から購入確認を受信すると、決済処理を行って課金確認（１２１８）をレコーダ５０１に送信する。
さらにレコーダ５０１は、固有ＩＤ取得部４０３を介してＩＤデバイス５０３と通信し、ＩＤデバイス５０３と通信できた場合にはＩＤデバイス５０３から固有ＩＤを取得し（５１１）、この固有ＩＤを再生許可を与える許可ＩＤとする。
レコーダ５０１は、レコード販売会社１２０１から課金確認１２１８を受信すると、デジタルＩ／Ｆ１０７を介してプレーヤ２０２から入力した暗号化コンテンツを復号部１０９が復号化し（２１２）、デジタル読み出し制限部１１０がデジタル読み出し制限を施し（２１３）、コントローラ１０４がコンテンツアクセス部１０５を制御して、コンテンツＩＤとともに記録可能光ディスク５０２に書き込む。さらに、許可ＩＤ記録部４０４がコンテンツアクセス部１０５を制御して、許可ＩＤを記録可能光ディスク５０２に書き込む（１２１９）。
【００３２】
次に、ユーザが複製した光ディスクを再生する手順について説明する。
図６は本実施の形態の複製した光ディスクを再生する手順を示した図である。図１２、図１または図５と同じ構成要素については説明を省略し、同じ番号を付してある。
６０１はユーザによって複製された光ディスク、６０２は複製された光ディスク６０１を再生するプレーヤである。プレーヤ６０２は図４に示した光ディスクドライブである。
【００３３】
最初に、ユーザは複製された光ディスク６０１をプレーヤ６０２に挿入し、プレーヤ６０２に再生を指示する。
プレーヤ６０２は再生を指示されると、許可ＩＤ認証部４０５がコンテンツアクセス部１０５を制御して、複製された光ディスク６０１から許可ＩＤを読み出す（６１１）。許可ＩＤが読み出せた場合は、固有ＩＤ取得部４０３を介してＩＤデバイス５０３と通信して固有ＩＤを取得し、許可ＩＤと固有ＩＤを照合することでＩＤ認証を行う（６１２）。ＩＤ認証（６１２）に成功すると、コントローラ１０４がコンテンツアクセス部１０５を制御して、複製された光ディスク６０１からコンテンツを読み出す（１２１１）。読み出されたコンテンツはアナログＩ／Ｆ１０６でＤＡ変換され、音声信号としてプレーヤ６０２から出力される。
【００３４】
次に、ユーザが複製した光ディスクから私的な再複製を作成する手順について説明する。
図７は本実施の形態の複製された光ディスクからを私的な再複製を作成する手順を示した図である。図１２、図１、図２、図５または図６と同じ構成要素については説明を省略し、同じ番号を付してある。
７０１は複製された光ディスク６０１を再生するプレーヤ、７０２は記録可能光ディスク７０３にコンテンツを記録するレコーダ、７０３は複製されたコンテンツを記録する記録可能光ディスクである。
【００３５】
最初に、ユーザは複製された光ディスク６０１をプレーヤ７０１に挿入する。またプレーヤ７０１に接続したレコーダ７０２に記録可能光ディスク７０３を挿入し、プレーヤ７０１とレコーダ７０２に複製開始を指示する。
プレーヤ７０１は複製開始を指示されると、許可ＩＤ認証部４０５がコンテンツアクセス部１０５を制御して、複製された光ディスク６０１から許可ＩＤを読み出す（６１１）。許可ＩＤが読み出せた場合は、固有ＩＤ取得部４０３を介してＩＤデバイス５０３と通信して固有ＩＤを取得し、許可ＩＤと固有ＩＤを照合することでＩＤ認証を行う（６１２）。ＩＤ認証（６１２）に成功すると、コントローラ１０４がコンテンツアクセス部１０５を制御して、複製された光ディスク６０１からコンテンツを読み出す（１２１１）。読み出したコンテンツがデジタル読み出し制限されているとコントローラ１０４が判断した場合は、デジタルＩ／Ｆ１０７から許可ＩＤを出力し、暗号部１０８によってコンテンツの暗号化を行い（２１１）、デジタルＩ／Ｆ１０７からレコーダ７０２に出力する。またコンテンツの識別情報であるコンテンツＩＤを読み出し、デジタルＩ／Ｆ１０７からレコーダ７０２に出力する（１２１２）。
【００３６】
レコーダ７０２は、デジタルＩ／Ｆ１０７から入力されたコンテンツが暗号化されている場合、プレーヤから入力された許可ＩＤを、再生許可を与える許可ＩＤとする。
レコーダ７０２は、デジタルＩ／Ｆ１０７を介してプレーヤ７０１から入力した暗号化コンテンツを復号部１０９が復号化し（２１２）、デジタル読み出し制限部１１０がデジタル読み出し制限を施し（２１３）、コントローラ１０４がコンテンツアクセス部１０５を制御して、コンテンツＩＤとともに記録可能光ディスク７０３に書き込む。さらに、許可ＩＤ記録部４０４がコンテンツアクセス部１０５を制御して、許可ＩＤを記録可能光ディスク７０３に書き込む（１２１９）。
【００３７】
なお、光ディスクから許可ＩＤが得られない場合は、この光ディスクは複製されたものではなく、レコード販売会社の配布したオリジナルの光ディスクであると判断される。オリジナルのディスクに対しては図７に示す再複製の作成の手順は適用されず、図５に示す複製の手順が適用される。
また、複製された光ディスク６０１から他のユーザのための複製を作成する場合は、図５に示す課金・認証（１２１３、１２１４）を行った上で、レコーダのユーザＩ／Ｆによって許可ＩＤと異なるＩＤデバイスの固有ＩＤを選択し、記録可能光ディスクに書き込む。
【００３８】
以上の手順によって、プレーヤ２０２、７０１から出力されるコンテンツを暗号化することで、不正コピーを防ぐことが出来る。またコンテンツの複製行為に対して課金・課金した後、合法な複製の作成を可能にする。合法に複製された記録可能光ディスク５０２、７０３からの複製の作成についても、記録可能光ディスク５０２、７０３への記録時にデジタル読み出し制限を行っているので、新たな不正コピーを防ぐことが出来る。
また、複製された記録可能光ディスク５０２、７０３は、コピーコントロールＣＤ相当のものであるので、通常のＣＤプレーヤで再生できる。
また、非特許文献１に示した従来の技術のように、光ディスクに複製用のコンテンツを別に記録しないので、光ディスクの記録時間が短くなるという欠点がない。複製用のコンテンツは圧縮されていないので、音質が悪いという欠点もない。
【００３９】
さらに、複製の作成時にレコーダ５０１、７０２がＩＤデバイス５０３の保持する固有ＩＤを許可ＩＤとして記録可能光ディスク５０２、７０３に書き込み、再生時にプレーヤ６０２が複製された光ディスク６０１に記録されている許可ＩＤと、ＩＤデバイス５０３の保持する固有ＩＤを認証することにより、許可されたユーザ以外による再生を制限するので、私的な使用に限った複製を行うことができる。
【００４０】
本実施の形態では、図７に示した手順で課金されることなく私的な再複製を作ることができ、再複製された光ディスク７０３は従来のコピーコントロールＣＤ相当であるので、ＩＤデバイスに対応しない従来のＣＤプレーヤでも再生できる。しかし、再複製された光ディスク７０３には、ＩＤデバイスの固有ＩＤが記録されているので、再複製された光ディスク７０３から複製を行ったユーザを特定することができる。これは、ユーザが再複製した光ディスク７０３を著作権者に無許可で他人に譲渡・販売するなどの違法行為に対して、抑止力と成り得る。
【００４１】
なお、本実施の形態では複製のためにプレーヤとレコーダの２台の光ディスクドライブを使用した例を示したが、１台の光ディスクドライブとパソコンを使用し、光ディスクドライブで読み出したコンテンツを一旦パソコンのハードディスクなどに保存した後、ハードディスクから光ディスクドライブに挿入された記録可能光ディスクに記録してもよい。この場合でも、光ディスクドライブからパソコンに出力されるコンテンツは暗号化されているため、そのままでは再生することが出来ず不正コピーを防止できる。
なお、記録済み光ディスク２０１がコピーコントロールＣＤのようなデジタル読み出し制限されていない普通のＣＤである場合、この光ディスクはデジタル複製に対する制限がないものと判断できるので、プレーヤ２０２は暗号部１０８による暗号化（２１１）を行わず、デジタルＩ／Ｆ１０７を介して記録済み光ディスク２０１から読み出したコンテンツをそのままレコーダ５０１に出力する。レコーダ５０１は、プレーヤ２０２から入力されたコンテンツが暗号化されていない場合、購入・認証（１２１３）、復号部１０９による復号化（２１２）、デジタル読み出し制限部１１０によるデジタル読み出し制限（２１３）、ＩＤデバイスからの許可ＩＤ取得（５１１）を行わず、プレーヤ２０２から入力されたコンテンツをそのまま記録可能光ディスク５０２に記録する。これにより、複製された記録可能光ディスク５０２は、記録済み光ディスク２０１と同じく、再デジタル複製の可能な光ディスクとなる。このようにして複製された光ディスク６０１についても同様に複製することで、再複製である記録可能光ディスク７０３を再々デジタル複製の可能な光ディスクとすることができる。
【００４２】
なお、記録可能光ディスク５０２、７０３は、既存のＣＤやＤＶＤと同様に、ＣＤ−ＲやＤＶＤ−Ｒなどのように書き込みのできるもの、ＣＤ−ＲＷやＤＶＤ−ＲＡＭのように自由に消去・書き込みができるものなどを含む。また、記録済み光ディスク２０１は、生産時に音楽タイトルや映画タイトルなどのコンテンツをプレスで記録したリードオンリーなものだけでなく、ＣＤ−ＲやＣＤ−ＲＷのように読み書き可能なものでもよい。
なお、暗号部１０８、復号部１０９で用いる暗号化技術については、ＡＥＳ（Ａｄｖａｎｃｅｄ  Ｅｎｃｒｙｐｔｉｏｎ  Ｓｔａｎｄａｒｄ）など既存の暗号化技術を用いてもよい。好ましくは、デジタル読み出し制限された光ディスクのデジタル読み出しにおいては、常に暗号化するべきである。これにより、プレーヤ２０２、７０１から出力されるコンテンツは、デジタル読み出し制限された光ディスクの場合は再生不可能になるので、不正コピーを防止することが出来る。なお、デジタル読み出し制限部１１０で用いるデジタル読み出し制限についても、既に説明したＣＤＳ−２００など既存の技術を用いてもよい。好ましくは、記録済み光ディスク２０１はデジタル読み出し制限をともなって記録されている可能性があるので、プレーヤ２０２、７０１によるコンテンツ読み出し（１２１１）手順は、デジタル読み出し制限に対するエラー訂正などの手順を含むべきである。これにより、通常ＣＤ−ＲＯＭドライブなどでデジタル読み出しできないように記録された光ディスクにおいても、デジタル読み出しが可能となる。
なお、ＩＤデバイスは固有ＩＤを保持するのみの単機能のものとして説明したが、その目的はユーザ認証を行うためのものであるので、実際の製品としての形態は、ユーザが常に身に付けているものが好ましい。具体的には携帯電話、腕時計、財布、キーホルダーなどである。またＩＤデバイスと光ディスクドライブ間の通信は、物理的な接点を有する有線通信のみでなく、無線通信でもよい。ＩＤデバイスの形態が携帯電話や腕時計などであるならば、無線通信が好ましい。さらにユーザは光ディスクドライブの近くにいると想定されるので、遠くにいる別のユーザのＩＤデバイスを排除するためにも、Ｂｌｕｅｔｏｏｔｈ、ＩｒＤＡなどの近距離無線通信が使われることが好ましい。
なお、レコーダとしての光ディスクドライブとＩＤデバイスとの無線通信において、複数のＩＤデバイスを検出した場合、レコーダのユーザＩ／Ｆによって正しいＩＤデバイスを選択するなどの手順を設けることが好ましい。プレーヤとしての光ディスクドライブとＩＤデバイスとの無線通信において、複数のＩＤデバイスを検出した場合、それらの中に許可ＩＤと一致するものがあれば認証成功と判断してもよい。
なお、レコーダとしての光ディスクドライブとＩＤデバイスとの通信において、ＩＤデバイスを１つも検出できない場合、ＩＤデバイスによる認証を行う代わりに、実施の形態１に記載したのと同様に、レコード販売会社との間でデジタル複製に対する課金・認証の手続きを行った後、複製を行うとしてもよい。
【００４３】
（実施の形態３）
以下、本発明の別の実施の形態について、図８から図１０を用いて説明する。
本実施の形態で用いるＩＤデバイスは、実施の形態２で説明したものと全く同じであるので、説明を省略する。
図８は本実施の形態で用いる光ディスクドライブの構成を示した図である。図１または図４と同じ構成要素については説明を省略し、同じ番号を付してある。図８に示す光ディスクドライブ８０１は、複製制御部８０２、私的複製認証部８０３を含んで構成される。
複製制御部８０２は、コンテンツの暗号化を行う暗号部１０８、暗号化されたコンテンツを復号化する復号部１０９で構成される。
私的複製認証部８０３は、ＩＤデバイス３０１から固有ＩＤを取得する固有ＩＤ取得手段４０３のみで構成される。
【００４４】
次に、ユーザが記録済みの光ディスクを複製する手順について説明する。
図９は本実施の形態の記録済みの光ディスクを複製する手順を示した図である。図１２、図１または図２と同じ構成要素については説明を省略し、同じ番号を付してある。
９０１は記録可能光ディスク９０２にコンテンツを記録するレコーダ、９０２は複製されたコンテンツを記録する記録可能光ディスクである。プレーヤ２０２のデジタルＩ／Ｆ１０７とレコーダ９０１のデジタルＩ／Ｆ１０７は接続されている。プレーヤ２０２とレコーダ９０１はどちらも図８に示した光ディスクドライブであるが、再生、記録といった光ディスクを複製する上での役割の違いから、「プレーヤ」、「レコーダ」と区別して説明している。
最初に、レコード販売会社１２０１は、デジタル読み出し制限してコンテンツを記録した記録済み光ディスク２０１を作成・販売する。つまり、記録済み光ディスク２０１は、基本的に従来のコピーコントロールＣＤである。
【００４５】
ユーザは購入・レンタルなどの方法で記録済み光ディスク２０１を入手し、プレーヤ２０２に挿入する。またプレーヤ２０２に接続したレコーダ９０１に記録可能光ディスク９０２を挿入し、プレーヤ２０２とレコーダ９０１に複製開始を指示する。
プレーヤ２０２は複製開始を指示されると、コントローラ１０４がコンテンツアクセス部１０５を制御して、記録済み光ディスク２０１からコンテンツを読み出す（１２１１）。読み出したコンテンツがデジタル読み出し制限されているとコントローラ１０４が判断した場合は、暗号部１０８によって暗号化を行い（２１１）、デジタルＩ／Ｆ１０７からレコーダ９０１に出力する。またコンテンツの識別情報であるコンテンツＩＤを読み出し、デジタルＩ／Ｆ１０７からレコーダ９０１に出力する（１２１２）。
【００４６】
レコーダ９０１は、デジタルＩ／Ｆ１０７から入力されたコンテンツが暗号化されている場合、インターネットを介してレコード販売会社１２０１との間でデジタル複製に対する課金・認証の手続きをおこなう（１２１３，１２１４）。
まずレコーダ９０１は、コンテンツＩＤをレコード販売会社１２０１に通知し（１２１５）、レコード販売会社はコンテンツＩＤに対応する課金情報をレコーダ９０１に送信してユーザの購入確認を求める（１２１６）。ユーザから図示しないレコーダ９０１のユーザＩ／Ｆによって購入確認を得ると、その旨をレコーダ９０１はレコード販売会社１２０１に通知する（１２１７）。レコード販売会社１２０１はレコーダ９０１から購入確認を受信すると、決済処理を行って課金確認（１２１８）をレコーダ９０１に送信する。
レコーダ９０１は、レコード販売会社１２０１から課金確認１２１８を受信すると、デジタルＩ／Ｆ１０７を介してプレーヤ２０２から入力した暗号化コンテンツを復号部１０９が復号化する（２１２）。さらに固有ＩＤ取得部４０３を介してＩＤデバイス５０３と通信し、ＩＤデバイス５０３と通信できた場合にはＩＤデバイス５０３から固有ＩＤを取得し（９１１）、この固有ＩＤを暗号鍵として暗号部１０８によりコンテンツを再度暗号化する（９１２）。再暗号化したコンテンツは、コントローラ１０４がコンテンツアクセス部１０５を制御して、コンテンツＩＤとともに記録可能光ディスク９０２に書き込む（１２１９）。
【００４７】
次に、ユーザが複製した光ディスクを再生する手順について説明する。
図１０は本実施の形態の複製した光ディスクを再生する手順を示した図である。図１２または図５と同じ構成要素については説明を省略し、同じ番号を付してある。
１００１はユーザによって複製された光ディスク、１００２は複製された光ディスク１００１を再生するプレーヤである。プレーヤ１００２は図８に示した光ディスクドライブである。
【００４８】
最初に、ユーザは複製された光ディスク１００１をプレーヤ１００２に挿入し、プレーヤ１００２に再生を指示する。
プレーヤ１００２は再生を指示されると、コントローラ１０４がコンテンツアクセス部１０５を制御して、複製された光ディスク１００１からコンテンツを読み出す（１２１１）。読み出したコンテンツが暗号化されているとコントローラ１０４が判断した場合は、固有ＩＤ取得部４０３を介してＩＤデバイス５０３と通信し、固有ＩＤを取得する（１０１１）。さらに復号部１０９によって、取得した固有ＩＤを暗号鍵として読み出したコンテンツを復号化する（１０１２）。復号化されたコンテンツはアナログＩ／Ｆ１０６でＤＡ変換され、音声信号としてプレーヤ１００２から出力される。
【００４９】
本実施の形態においては、ユーザが複製した光ディスクから私的な再複製を作成する手順は、通常の光ディスクの複製と同じであるので、説明を省略する。複製された光ディスクに記録されたコンテンツは暗号化されているが、暗号化されたまま複製すればよい。
【００５０】
以上の手順によって、プレーヤ２０２から出力されるコンテンツは暗号化されているので、不正コピーを防ぐことが出来る。またコンテンツの複製行為に対して課金・課金した後、合法な複製の作成を可能にする。合法に複製された記録可能光ディスク９０２からの複製の作成についても、記録可能光ディスク９０２へ記録されるコンテンツは暗号化されているので、不正コピーしても再生することができず、新たな不正コピーを防ぐことが出来る。
また、非特許文献１に示した従来の技術のように、光ディスクに複製用のコンテンツを別に記録しないので、光ディスクの記録時間が短くなるという欠点がない。複製用のコンテンツは圧縮されていないので、音質が悪いという欠点もない。
さらに、複製の作成時にレコーダ９０１がＩＤデバイス５０３の保持する固有ＩＤを暗号鍵としてコンテンツを暗号化して記録可能光ディスク９０２に書き込み、再生時にプレーヤ１００２がＩＤデバイス５０３の保持する固有ＩＤを暗号鍵として暗号化コンテンツを復号することにより、許可されたユーザ以外による再生を制限し、私的な使用に限った複製を行うことができる。
【００５１】
なお、本実施の形態では複製のためにプレーヤとレコーダの２台の光ディスクドライブを使用した例を示したが、１台の光ディスクドライブとパソコンを使用し、光ディスクドライブで読み出したコンテンツを一旦パソコンのハードディスクなどに保存した後、ハードディスクから光ディスクドライブに挿入された記録可能光ディスクに記録してもよい。この場合でも、光ディスクドライブからパソコンに出力されるコンテンツは暗号化されているため、そのままでは再生することが出来ず不正コピーを防止できる。
なお、記録済み光ディスク２０１がコピーコントロールＣＤのようなデジタル読み出し制限されていない普通のＣＤである場合、この光ディスクはデジタル複製に対する制限がないものと判断できるので、プレーヤ２０２は暗号部１０８による暗号化（２１１）を行わず、デジタルＩ／Ｆ１０７を介して記録済み光ディスク２０１から読み出したコンテンツをそのままレコーダ９０１に出力する。レコーダ９０１は、プレーヤ２０２から入力されたコンテンツが暗号化されていない場合、購入・認証（１２１３）、復号部１０９による復号化（２１２）、デジタル読み出し制限部１１０によるデジタル読み出し制限（２１３）を行わず、プレーヤ２０２から入力されたコンテンツをそのまま記録可能光ディスク２０４に記録する。これにより、複製された記録可能光ディスク９０２は、記録済み光ディスク２０１と同じく、再デジタル複製の可能な光ディスクとなる。このようにして複製された光ディスクについても同様に複製することで、再複製である記録可能光ディスクを再々デジタル複製の可能な光ディスクとすることができる。
【００５２】
なお、記録可能光ディスク９０２は、既存のＣＤやＤＶＤと同様に、ＣＤ−ＲやＤＶＤ−Ｒなどのように書き込みのできるもの、ＣＤ−ＲＷやＤＶＤ−ＲＡＭのように自由に消去・書き込みができるものなどを含む。また、記録済み光ディスク２０１は、生産時に音楽タイトルや映画タイトルなどのコンテンツをプレスで記録したリードオンリーなものだけでなく、ＣＤ−ＲやＣＤ−ＲＷのように読み書き可能なものでもよい。
なお、暗号部１０８、復号部１０９で用いる暗号化については、ＡＥＳ（Ａｄｖａｎｃｅｄ  Ｅｎｃｒｙｐｔｉｏｎ  Ｓｔａｎｄａｒｄ）など既存の暗号化技術を用いてもよい。好ましくは、デジタル読み出し制限された光ディスクのデジタル読み出しにおいては、常に暗号化するべきである。これにより、プレーヤ２０２から出力されるコンテンツは、デジタル読み出し制限された光ディスクの場合は再生不可能になるので、不正コピーを防止することが出来る。
なお、ＩＤデバイスは固有ＩＤを保持するのみの単機能のものとして説明したが、その目的はユーザ認証を行うためのものであるので、実際の製品としての形態は、ユーザが常に身に付けているものが好ましい。具体的には携帯電話、腕時計、財布、キーホルダーなどである。またＩＤデバイスと光ディスクドライブ間の通信は、物理的な接点を有する有線通信のみでなく、無線通信でもよい。ＩＤデバイスの形態が携帯電話や腕時計などであるならば、無線通信が好ましい。さらにユーザは光ディスクドライブの近くにいると想定されるので、遠くにいる別のユーザのＩＤデバイスを排除するためにも、Ｂｌｕｅｔｏｏｔｈ、ＩｒＤＡなどの近距離無線通信が使われることが好ましい。
なお、レコーダとしての光ディスクドライブとＩＤデバイスとの無線通信において、複数のＩＤデバイスを検出した場合、レコーダのユーザＩ／Ｆによって正しいＩＤデバイスを選択するなどの手順を設けることが好ましい。プレーヤとしての光ディスクドライブとＩＤデバイスとの無線通信において、複数のＩＤデバイスを検出した場合、それらの中から暗号化されたコンテンツを正しく復号できるものを選択するとしてもよい。
なお、記録済み光ディスクの複製の際に、レコーダとしての光ディスクドライブとＩＤデバイスとの通信において、ＩＤデバイスを１つも検出できない場合、ＩＤデバイスによる認証を行う代わりに、実施の形態１に記載したのと同様に、レコード販売会社との間でデジタル複製に対する課金・認証の手続きを行った後、複製を行うとしてもよい。
【００５３】
【発明の効果】
以上のように第１の発明によれば、光ディスクからデジタル記録されたコンテンツを読み出す光ディスク読み出し装置であって、デジタル読み出し制限された光ディスクの読み出しにおいては、コンテンツを暗号化して出力する暗号化手段を備えたので、光ディスク読み出し装置の出力したコンテンツの不正コピーを防止するという効果を得ることが出来る。
【００５４】
さらに第２の発明によれば、第１の発明の効果に加え、ユーザを特定するための固有ＩＤを取得する固有ＩＤ取得手段と、デジタル読み出し制限された光ディスクの読み出しにおいては、光ディスクから許可ＩＤを読み出し、固有ＩＤとの認証を行って読み出しの可否を判定する許可ＩＤ認証手段とを備えたので、固有ＩＤによって識別されるユーザ以外による再生を制限し、私的な使用に限った複製からの再生が可能になるので、ユーザの利便性が向上するという効果を得ることが出来る。
【００５５】
さらに第３の発明によれば、第１の発明の効果に加えて、ユーザを特定するための固有ＩＤを取得する固有ＩＤ取得手段と、暗号化されて記録されたコンテンツにおいては、固有ＩＤから暗号鍵を生成して光ディスクから読み出したコンテンツを復号化する復号化手段とを備えたので、固有ＩＤによって識別されるユーザ以外による再生を制限し、私的な使用に限った複製からの再生が可能になるので、ユーザの利便性が向上するという効果を得ることが出来る。
【００５６】
第４の発明によれば、入力されたコンテンツを光ディスクにデジタル記録する光ディスク記録装置であって、入力されたコンテンツが暗号化されている場合は、光ディスクへの記録に先だって、入力されたコンテンツを復号する暗号化手段を備えたので、オンラインでの認証・課金という従来の技術と組み合わせることにより合法な複製の作成が可能になり、ユーザの利便性が向上するという効果を得ることが出来る。
【００５７】
さらに第５の発明によれば、第４の発明の効果に加え、入力されたコンテンツが暗号化されている場合は、コンテンツを記録した光ディスクからのデジタル読み出しに対する制限を行うデジタル読み出し制限手段を備えたので、合法に複製した光ディスクから新たな不正コピーを防止するという効果を得ることが出来る。
【００５８】
さらに第６の発明によれば、第４の発明または第５の発明の効果に加え、ユーザを特定するための固有ＩＤを取得する固有ＩＤ取得手段と、固有ＩＤから許可ＩＤを生成し、許可ＩＤをコンテンツとともに光ディスクに記録する許可ＩＤ記録手段とを備えたので、複製を行ったユーザを特定することができ、不正コピーの配布・販売を抑制するという効果を得ることが出来る。
【００５９】
さらに第７の発明によれば、第４の発明または第５の発明の効果に加えて、ユーザを特定するための固有ＩＤを取得する固有ＩＤ取得手段と、固有ＩＤから暗号鍵を生成して入力されたコンテンツを暗号化する暗号化手段とを備えたので、私的な複製を行うことができるので、ユーザの利便性が向上するという効果を得ることが出来る。
【図面の簡単な説明】
【図１】本発明の第１の実施の形態による光ディスクドライブの構成を示す図。
【図２】本発明の第１の実施の形態による光ディスクの複製手順を示す図。
【図３】本発明の第２の実施の形態によるＩＤデバイスの構成を示す図。
【図４】本発明の第２の実施の形態による光ディスクドライブの構成を示す図。
【図５】本発明の第２の実施の形態による光ディスクの複製手順を示す図。
【図６】本発明の第２の実施の形態による複製した光ディスクの再生手順を示す図。
【図７】本発明の第２の実施の形態による複製した光ディスクから再複製を作成する手順を示す図。
【図８】本発明の第３の実施の形態による光ディスクドライブの構成を示す図。
【図９】本発明の第３の実施の形態による光ディスクの複製手順を示す図。
【図１０】本発明の第３の実施の形態による複製した光ディスクの再生手順を示す図。
【図１１】従来の光ディスクの構成を示す図。
【図１２】従来の光ディスクの複製手順を示す図。
【符号の説明】
１０１  光ディスクドライブ
１０２  既存ＣＤ−ＲＷ構成部
１０３  複製制御部
１０４  コントローラ
１０５  コンテンツアクセス部
１０６  アナログＩ／Ｆ
１０７  デジタルＩ／Ｆ
１０８  暗号部
１０９  復号部
１１０  デジタル読み出し制限部
【図１】
2004241029.tif 000003
【図２】
2004241029.tif 000004
【図３】
2004241029.tif 000005
【図４】
2004241029.tif 000006
【図５】
2004241029.tif 000007
【図６】
2004241029.tif 000008
【図７】
2004241029.tif 000009
【図８】
2004241029.tif 000010
【図９】
2004241029.tif 000011
【図１０】
2004241029.tif 000012
【図１１】
2004241029.tif 000013
【図１２】
2004241029.tif 000014